【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
連続用紙の第１面の第１面印刷データの印刷部分の先端および後端のうちの少なくとも一方の端に、ライン型インクジェットヘッドのノズルからインク液滴を吐出させるフラッシングを行って、前記連続用紙の幅方向に延びる第１面フラッシングマークを形成し、
前記第１面フラッシングマークの位置に基づき、前記連続用紙の第２面の第２面印刷データの印刷位置を定め、
前記連続用紙の前記第２面に前記第２面印刷データを印刷し、
前記第１面フラッシングマークの位置に基づき、前記連続用紙の切断位置を定め、
前記連続用紙を幅方向に切断することを特徴とするライン型インクジェットヘッドを用いた両面印刷方法。
【請求項２】
前記第２面印刷データを印刷するときに、前記連続用紙の前記第１面フラッシングマークが形成されている部分に対応する前記第２面の部分に、フラッシングを行って、ライン状の第２面フラッシングマークを形成する請求項１に記載のライン型インクジェットヘッドを用いた両面印刷方法。
【請求項３】
前記第１面印刷データおよび前記第２面印刷データは、それぞれ、複数ページ分の印刷データであり、
前記第１面フラッシングマークを形成するとき、前記第１面印刷データの印刷開始位置の前側部分、前記第１面印刷データの予め定めたページ枚数分の印刷終了位置の後側部分、および、前記第１面印刷データの印刷終了位置の後側部分に、予め定めた長さのマーク形成部分を確保し、前記マーク形成部分に前記フラッシングを行う請求項１または２に記載のライン型インクジェットヘッドを用いた両面印刷方法。
【請求項４】
切断を行うときに、前記第１面印刷データおよび前記第２面印刷データが印刷された後の両面印刷部分から、前記第１面フラッシングマークが形成されている部分を切断する請求項１ないし３のいずれか１項に記載のライン型インクジェットヘッドを用いた両面印刷方法。
【請求項５】
前記第１面印刷データおよび前記第２面印刷データは、製本用の両面印刷ページを印刷するデータである請求項１ないし４のいずれか１項に記載のライン型インクジェットヘッドを用いた両面印刷方法。
【請求項６】
前記ライン型インクジェットヘッドの印刷位置を経由させて前記連続用紙を搬送して前記第１面に前記第１面印刷データおよび前記第１面フラッシングマークを印刷し、
前記連続用紙を前記第１面の印刷終了後の位置で切断し、
切断後の所定長さの紙片を、前記ライン型インクジェットヘッドの印刷位置を経由させて搬送し、
前記第２面に前記第２面印刷データを印刷する請求項１ないし５のいずれか１項に記載のライン型インクジェットヘッドを用いた両面印刷方法。
【請求項７】
ノズルからインク液滴を吐出させるフラッシングを行うライン型インクジェットヘッドと、
前記ライン型インクジェットヘッドの印刷位置を経由する搬送経路に沿って連続用紙を搬送する搬送機構と、
前記搬送経路における前記印刷位置よりも搬送方向の下流側の位置で前記連続用紙を切断する切断機構と、
前記ライン型インクジェットヘッドを制御して前記連続用紙の第１面の第１面印刷データの印刷部分の先端および後端のうちの少なくとも一方の端にフラッシングを行なわせて前記連続用紙の幅方向に延びるライン状の第１面フラッシングマークを形成させ、前記第１面フラッシングマークの位置に基づいて前記連続用紙の第２面の第２面印刷データの印刷位置を定めさせ、前記連続用紙の前記第２面に前記第２面印刷データを印刷させ、前記第１面フラッシングマークの位置に基づき、前記連続用紙の切断位置を定めさせる駆動制御部と、
前記搬送経路の前記印刷位置よりも搬送方向の上流側の位置で前記連続用紙の前記第１面に印刷されている前記第１面フラッシングマークを検出するマーク検出器と、
を有することを特徴とする両面印刷装置。
【請求項８】
前記搬送経路の前記印刷位置よりも搬送方向の上流側の位置で前記連続用紙を切断する第２切断機構を有し、
前記駆動制御部は、前記ライン型インクジェットヘッドの前記印刷位置を経由させて前記連続用紙を搬送して前記第１面に前記第１面印刷データおよび前記第１面フラッシングマークを印刷させ、前記第２切断機構で前記連続用紙を前記第１面の印刷終了後の位置で切断させ、切断後の所定長さの紙片を前記ライン型インクジェットヘッドの印刷位置を経由させて搬送させ、前記第２面に前記第２面印刷データを印刷させる請求項７に記載の両面印刷装置。
【手続補正２】
【補正対象書類名】明細書
【補正対象項目名】０００９
【補正方法】変更
【補正の内容】
【０００９】
上記の課題を解決するために、本発明は、連続用紙の第１面の第１面印刷データの印刷部分の先端および後端のうちの少なくとも一方の端に、ライン型インクジェットヘッドの全ノズルからインク液滴を吐出させるフラッシングを行って、前記連続用紙の幅方向に延びる第１面フラッシングマークを形成し、
前記第１面フラッシングマークの位置に基づき、前記連続用紙の第２面の第２面印刷データの印刷位置を定め、
前記連続用紙の前記第２面に前記第２面印刷データを印刷し、
前記第１面フラッシングマークの位置に基づき、前記連続用紙の切断位置を定め、
前記連続用紙を幅方向に切断することを特徴としている。
【手続補正３】
【補正対象書類名】明細書
【補正対象項目名】００１０
【補正方法】変更
【補正の内容】
【００１０】
ここで、第２面印刷時においてもフラッシングを第２面上に行うようにすることができる。この場合には、第１面フラッシングマークが形成されている部分に対応する第２面の部分（マーク形成部分の裏面）にフラッシングを行えば良い。すなわち、前記第２面印刷工程において、前記連続用紙における前記第１面フラッシングマークが形成されているマーク形成部分に対応する前記第２面上の部分に、前記フラッシングを行って、ライン状の第２面フラッシングマークを形成すればよい。
【手続補正４】
【補正対象書類名】明細書
【補正対象項目名】００１１
【補正方法】変更
【補正の内容】
【００１１】
本発明において、製本用の両面印刷ページなどの両面印刷を行う場合、前記第１面印刷データおよび前記第２面印刷データとして、それぞれ、複数ページ分の印刷データが用意される。この場合には、前記第１面フラッシングマークを形成するとき、前記連続用紙の前記第１面において、前記第１面印刷データの印刷開始位置の前側部分、当該第１面印刷データの予め定めたページ枚数分の印刷終了位置の後側部分、および、前記第１面印刷データの印刷終了位置の後側部分に、予め定めた長さのマーク形成部分を確保し、前記マーク形成部分に前記フラッシングを行うようにすればよい。
【手続補正５】
【補正対象書類名】明細書
【補正対象項目名】００１２
【補正方法】変更
【補正の内容】
【００１２】
次に、マーク形成部分は不要な部分であるので、切断を行うときに、前記第１面印刷データおよび前記第２面印刷データが印刷された後の両面印刷部分から、前記第１面フラッシングマークが形成されているマーク形成部分（第２面にもフラッシングを行う場合には、第１面フラッシングマークおよび第２面フラッシングマークが形成されているマーク形成部分）を切断すればよい。
【手続補正６】
【補正対象書類名】明細書
【補正対象項目名】００１３
【補正方法】変更
【補正の内容】
【００１３】
ここで、両面印刷を単一のライン型インクジェットヘッドを用いて行うことができる。このためには、前記ライン型インクジェットヘッドの印刷位置を経由させて前記連続用紙を搬送して前記第１面に前記第１面印刷データおよび前記第１面フラッシングマークを印刷し、前記連続用紙を前記第１面の印刷終了後の位置で切断し切断後の所定長さの紙片を、前記ライン型インクジェットヘッドの印刷位置を経由させて搬送し、前記第２面に前記第２面印刷データを印刷するようにすればよい。
【手続補正７】
【補正対象書類名】明細書
【補正対象項目名】００１５
【補正方法】変更
【補正の内容】
【００１５】
次に、本発明の両面印刷装置は、
ノズルからインク液滴を吐出させるフラッシングを行うライン型インクジェットヘッドと、
前記ライン型インクジェットヘッドの印刷位置を経由する搬送経路に沿って連続用紙を搬送する搬送機構と、
前記搬送経路における前記印刷位置よりも搬送方向の下流側の位置で前記連続用紙を切断する切断機構と、
前記ライン型インクジェットヘッドを制御して前記連続用紙の第１面の第１面印刷データの印刷部分の先端および後端のうちの少なくとも一方の端にフラッシングを行なわせて前記連続用紙の幅方向に延びるライン状の第１面フラッシングマークを形成させ、前記第１面フラッシングマークの位置に基づいて前記連続用紙の第２面の第２面印刷データの印刷位置を定めさせ、前記連続用紙の前記第２面に前記第２面印刷データを印刷させ、前記第１面フラッシングマークの位置に基づき、前記連続用紙の切断位置を定めさせる駆動制御部と、
前記搬送経路の前記印刷位置よりも搬送方向の上流側の位置で前記連続用紙の前記第１面に印刷されている前記第１面フラッシングマークを検出するマーク検出器と、
を有していることを特徴としている。
【手続補正８】
【補正対象書類名】明細書
【補正対象項目名】００１６
【補正方法】変更
【補正の内容】
【００１６】
ここで、単一のライン型インクジェットヘッドを用いて両面印刷を行う場合には、前記搬送経路の前記印刷位置よりも搬送方向の上流側の位置で前記連続用紙を切断する第２切断機構を配置しておき、前記駆動制御部は、前記第１面印刷工程において、前記ライン型インクジェットヘッドの前記印刷位置を経由させて前記連続用紙を搬送して前記第１面に前記第１面印刷データおよび前記第１面フラッシングマークを印刷させ、前記第２切断機構で前記連続用紙を前記第１面の印刷終了後の位置で切断させ、切断後の所定長さの紙片を、前記ライン型インクジェットヘッドの印刷位置を経由させて搬送させ、前記第２面に前記第２面印刷データを印刷させるようにすればよい。
【手続補正９】
【補正対象書類名】明細書
【補正対象項目名】発明の名称
【補正方法】変更
【補正の内容】
【発明の名称】ライン型インクジェットヘッドを用いた両面印刷方法、および両面印刷装置